Podtech/llm-jp-corpus-v4-ja_patent huggingface dataset:
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
以下のいずれかから得られる抗体が結合するエピトープにおいてＡｘｌと結合する抗体：
Ａ）ハイブリドーマＵＴ−１０Ｃ９−Ｂ９；または
Ｂ）ハイブリドーマＷＲ−１０Ｇ５−Ｅ５。
【請求項２】
Ａｘｌを結合する、請求項１に記載の抗体であって、
Ａ）配列番号７のアミノ酸配列を有するＶＨ  ＣＤＲ３と、場合により配列番号６及び配列番号５から選択されるアミノ酸配列を有する１つ以上のＶＨ  ＣＤＲとを含む抗体ＶＨドメイン；および／もしくは
配列番号８、配列番号９及び配列番号１０から選択されるアミノ酸配列を有する１つ以上のＶＬ  ＣＤＲを含む抗体ＶＬドメイン；または
Ｂ）配列番号２５のアミノ酸配列を有するＶＨ  ＣＤＲ３と、場合により配列番号２４及び配列番号２３から選択されるアミノ酸配列を有する１つ以上のＶＨ  ＣＤＲとを含む抗体ＶＨドメイン；および／もしくは
配列番号２６、配列番号２７及び配列番号２８から選択されるアミノ酸配列を有する１つ以上のＶＬ  ＣＤＲを含む抗体ＶＬドメインを含む、前記抗体。
【請求項３】
請求項１〜２のいずれか１項に記載の抗体であって、以下のいずれかを含む抗体ＶＨドメインを含む抗体：
Ａ）配列番号５、配列番号６及び配列番号７のアミノ酸配列を有するＶＨ  ＣＤＲであって、前記抗体が１０Ｃ９のＶＨドメイン（配列番号３）及び１０Ｃ９のＶＬドメイン（配列番号４）を含んでいる抗体のＡｘｌ結合ドメインと、Ａｘｌへの結合を競合する、ＶＨ  ＣＤＲ；または
Ｂ）配列番号２３、配列番号２４及び配列番号２５のアミノ酸配列を有するＶＨ  ＣＤＲであって、１０Ｇ５のＶＨドメイン（配列番号２１）及び１０Ｇ５のＶＬドメイン（配列番号２２）を含んでいる抗体のＡｘｌ結合ドメインと、Ａｘｌへの結合を競合する、ＶＨ  ＣＤＲ。
【請求項４】
請求項１〜３のいずれか１項に記載の抗体であって、以下のいずれかを含む抗体：
Ａ）１０Ｃ９のＶＨドメイン（配列番号３）；または
Ｂ）１０Ｇ５のＶＨドメイン（配列番号２１）。
【請求項５】
請求項４に記載の抗体であって、以下のいずれかを含む抗体：
Ａ）１０Ｃ９のＶＬドメイン（配列番号４）；または
Ｂ）１０Ｇ５のＶＬドメイン（配列番号２２）。
【請求項６】
請求項１〜５のいずれか１項に記載の抗体の変異体であって、１つ以上のフレームワーク領域内及び／または１つ以上のＣＤＲ内に１つ以上のアミノ酸配列改変を含む、前記変異体。
【請求項７】
当該抗体が、
（ｉ）抗体の重鎖定常領域及び／もしくは抗体の軽鎖定常領域のすべてもしくは部分；
（ｉｉ）全抗体であって、場合によって、前記全抗体はｉｇＧ抗体である全抗体；または
（ｉｉｉ）抗原結合性抗体断片であって、場合によって、前記抗原結合性抗体断片が、単一ドメイン抗体、Ｆｖ、ｓｃＦｖ、ｄｓＦＶ、Ｆｄ、Ｆａｂ、Ｆ（ａｂ’）２、ミニボディ、ダイアボディ、一本鎖ダイアボディ、直列型ｓｃＦｖ、ＴａｎｄＡｂ、バイボディ、トリボディ、カッパ（ラムダ）ボディ、ＢｉＴＥ、ＤＶＤ−Ｉｇ、ＳＩＰ、ＳＭＩＰまたはＤＡＲＴである抗原結合性抗体断片；
を含む、請求項１〜６のいずれか１項に記載の抗体。
【請求項８】
前記抗体がヒト化抗体またはキメラ抗体である、請求項１〜７のいずれか１項に記載の抗体。
【請求項９】
前記ＡｘｌがヒトＡｘｌである、請求項１〜８のいずれか１項に記載の抗体。
【請求項１０】
６ｘ１０−１０Ｍ以下のＫＤでＡｘｌを結合する、請求項１〜９のいずれか１項に記載の抗体。
【請求項１１】
８ｘ１０５Ｍ−１ｓ−１以上のｋｏｎでＡｘｌを結合する、請求項１〜１０のいずれか１項に記載の抗体。
【請求項１２】
霊長類のＡｘｌを特異的に結合する、請求項１〜１１のいずれか１項に記載の抗体。
【請求項１３】
（ｉ）１０−３Ｍ超のＫＤでマウスＡｘｌを結合する；
（ｉｉ）１０−３Ｍ超のＫＤでヒトＭｅｒを結合する；及び／または
（ｉｉｉ）１０−３Ｍ超のＫＤでヒトＴｙｒｏ３を結合する；
請求項１〜１２のいずれか１項に記載の抗体。
【請求項１４】
ＡｘｌのＧａｓ６への結合を阻害する、請求項１〜１３のいずれか１項に記載の抗体。
【請求項１５】
Ａｘｌ受容体の発現を下方調節する、請求項１〜１４のいずれか１項に記載の抗体。
【請求項１６】
Ａｘｌ受容体の内在化の速度を増加させる、請求項１〜１５のいずれか１項に記載の抗体。
【請求項１７】
前記抗体が、Ａｘｌ受容体の下流シグナル伝達を阻害する、請求項１〜１６のいずれか１項に記載の抗体。
【請求項１８】
細胞死率を増加させる、請求項１〜１７のいずれか１項に記載の抗体。
【請求項１９】
腫瘍成長を阻害する、請求項１〜１８のいずれか１項に記載の抗体。
【請求項２０】
検出可能標識、酵素または毒素と、場合によりペプチジル結合またはリンカーを介して複合体化された、請求項１〜１９のいずれか１項に記載の抗体。
【請求項２１】
以下のいずれかから得られる抗体：
Ａ）ハイブリドーマＵＴ−１０Ｃ９−Ｂ９；または
Ｂ）ハイブリドーマＷＲ−１０Ｇ５−Ｅ５。
【請求項２２】
請求項１〜２１のいずれか１項に記載の抗体の、抗体または抗体のＶＨもしくはＶＬドメインをコードするヌクレオチド配列を含む、単離された核酸。
【請求項２３】
請求項２２に記載の核酸で形質転換された宿主細胞。
【請求項２４】
抗体または抗体のＶＨもしくはＶＬドメインの作製方法であって、前記抗体または抗体のＶＨもしくはＶＬドメインの作製条件下で、請求項２３に記載の宿主細胞を培養することを含む、前記方法。
【請求項２５】
請求項１〜２０のいずれか１項に記載の抗体、またはその免疫複合体を、薬学的に許容される賦形剤とともに含む組成物。
【請求項２６】
免疫チェックポイントモジュレーター及び／またはＡｘｌ以外の標的に特異的な抗腫瘍抗体を更に含む、請求項２５に記載の組成物。
【請求項２７】
治療方法における使用のための、請求項１〜２０のいずれか１項に記載の抗体、または請求項２５もしくは２６のいずれか一項に記載の組成物。
【請求項２８】
増殖性疾患の治療方法における使用のための、請求項２７に記載の抗体または組成物であって、
場合によって、前記増殖性疾患が癌または線維症である、抗体または組成物。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
ＤＬＬ３結合性ドメインを含むキメラ抗原受容体。
【請求項２】
ＤＬＬ３結合性ドメインが、
（ａ）配列番号３９３に示されるアミノ酸配列を含む軽鎖可変領域、及び、配列番号３９５に示されるアミノ酸配列を含む重鎖可変領域、
（ｂ）配列番号３８９に示されるアミノ酸配列を含む軽鎖可変領域、及び、配列番号３９１に示されるアミノ酸配列を含む重鎖可変領域、
（ｃ）配列番号３９７に示されるアミノ酸配列を含む軽鎖可変領域、及び、配列番号３９９に示されるアミノ酸配列を含む重鎖可変領域、
（ｄ）配列番号４０１に示されるアミノ酸配列を含む軽鎖可変領域、及び、配列番号４０３に示されるアミノ酸配列を含む重鎖可変領域、又は
（ｅ）配列番号４０５に示されるアミノ酸配列を含む軽鎖可変領域、及び、配列番号４０７に示されるアミノ酸配列を含む重鎖可変領域
を含む、又は上記（ａ）〜（ｅ）のいずれかを含む抗体に結合について競合する、請求項１に記載のキメラ抗原受容体。
【請求項３】
ＤＬＬ３結合性ドメインが、
（ａ）配列番号３９３に示される軽鎖可変領域の３つの相補性決定領域（ＣＤＲ）、及び、配列番号３９５に示される重鎖可変領域の３つのＣＤＲ、
（ｂ）配列番号３８９に示される軽鎖可変領域の３つのＣＤＲ、及び、配列番号３９１に示される重鎖可変領域の３つのＣＤＲ、
（ｃ）配列番号３９７に示される軽鎖可変領域の３つのＣＤＲ、及び、配列番号３９９に示される重鎖可変領域の３つのＣＤＲ、
（ｄ）配列番号４０１に示される軽鎖可変領域の３つのＣＤＲ、及び、配列番号４０３に示される重鎖可変領域の３つのＣＤＲ、又は
（ｅ）配列番号４０５に示される軽鎖可変領域の３つのＣＤＲ、及び、配列番号４０７に示される重鎖可変領域の３つのＣＤＲ
を含む、請求項１又は２に記載のキメラ抗原受容体。
【請求項４】
ｓｃＦｖ結合ドメイン、及び／又は、４−１ＢＢシグナル伝達ドメインを含む細胞内ドメイン、及び／又は、ＣＤ３ζシグナル伝達ドメイン、及び／又は、ヒトＣＤ８αヒンジ領域を含む膜貫通ドメインを含む細胞内ドメインを含む、請求項１〜３のいずれか一項に記載のキメラ抗原受容体。
【請求項５】
（ａ）請求項１〜４のいずれか一項に記載のキメラ抗原受容体をコードする
（ｂ）配列番号９に示されるポリヌクレオチドを含む、
（ｃ）配列番号１６に示されるポリヌクレオチドを含む、又は
（ｄ）配列番号１８に示されるポリヌクレオチドを含む、
核酸。
【請求項６】
請求項５に記載の核酸を含むベクター。
【請求項７】
ウイルスベクターを含み、任意選択的に、ウイルスベクターが、レンチウイルスベクター又はレトロウイルスベクターを含む、請求項６に記載のベクター。
【請求項８】
請求項５に記載の核酸又は請求項６若しくは７に記載のベクターを含む単離された宿主細胞であって、宿主細胞株又は単離された初代細胞である、宿主細胞。
【請求項９】
宿主細胞が、ＤＬＬ３感作リンパ球を含み、ＤＬＬ感作リンパ球が、自己細胞又は同種異系細胞である、請求項８に記載の単離された宿主細胞。
【請求項１０】
ＤＬＬ３感作リンパ球が、Ｔ細胞、ナチュラルキラー（ＮＫ）細胞又はＣＤ８＋Ｔ細胞を含む、請求項９に記載の単離された宿主細胞。
【請求項１１】
請求項８〜１０のいずれか一項に記載の宿主細胞を含む医薬組成物。
【請求項１２】
請求項１１に記載の医薬組成物を含む、がんに罹患した患者を治療するための医薬組成物。
【請求項１３】
患者が、肺がん、小細胞肺がん、黒色腫、乳がん、前立腺がん、甲状腺がん、神経内分泌癌、結腸がん、腎細胞がん、卵巣がん、神経芽細胞腫、横紋筋肉腫、白血病及びリンパ腫からなる群から選択されるがんに罹患している、請求項１２に記載の医薬組成物。
【請求項１４】
請求項６又は７に記載のベクターによってリンパ球を形質導入するステップを含む、ＤＬＬ３感作リンパ球を産生する方法。
【請求項１５】
請求項６又は７に記載のベクター及びリンパ球を形質導入するための薬剤を含む、一又は複数の容器を含む、ＤＬＬ３感作リンパ球を作成するためのキット。
【請求項１６】
（ａ）請求項８〜１０のいずれか一項に記載の宿主細胞及び薬理学的に許容可能な担体を含有するレセプタクル、又は
（ｂ）請求項１１に記載の医薬組成物を含有するレセプタクル
を含む製品。
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
非ヒト動物細胞または胚盤胞が機能的ETV2タンパク質を欠くように、ゲノムが、ETV2遺伝子の両方のアリルに変異を有する、該非ヒト動物細胞または胚盤胞。
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
動物訓練補助具、玩具または装置に使用する匂い付き挿入物であって、
基材であって、前記基材の上におよび／または前記基材の中に、マイクロカプセル封入された匂い付き材料を有する基材、
前記基材上の匂いに対して実質的に不透過性であるコーティング、および
前記匂い付き挿入物用のキャリア中で前記挿入物の方向を合わせるように操作可能な少なくとも１つの戻り止め、を含み、かつ
前記匂い付き材料が、前記挿入物が不活性状態にあるとき、動物にとって望ましい匂いを実質的に放出せず、前記挿入物が活性状態にあるとき、前記動物にとって望ましい匂いを放出する、匂い付き挿入物。
【請求項２】
使用の際、前記匂い付き挿入物が、前記コーティングを摩滅することにより活性化されて、前記マイクロカプセル封入された匂い付き材料から匂いを放出する、請求項１に記載の匂い付き挿入物。
【請求項３】
前記匂い付き材料が、前記基材の表面の少なくとも一部に被覆されている、請求項１または２に記載の匂い付き挿入物。
【請求項４】
前記匂いが、フェロモン、肉、卵、乳製品、野菜または果実の匂いの少なくとも１種を含む、請求項１ないし３のいずれか一項に記載の匂い付き挿入物。
【請求項５】
前記コーティングが、高分子材料を含む、請求項１ないし４のいずれか一項に記載の匂い付き挿入物。
【請求項６】
前記基材が、多孔質材料を含む、請求項１ないし５のいずれか一項に記載の匂い付き挿入物。
【請求項７】
前記少なくとも１つの戻り止めが、前記キャリア中における前記挿入物の動きを抑制する、請求項１ないし６のいずれか一項に記載の匂い付き挿入物。
【請求項８】
前記少なくとも１つの戻り止めが、前記挿入物の周辺部から伸びている、請求項１および７のいずれか一項に記載の匂い付き挿入物。
【請求項９】
前記少なくとも１つの戻り止めが、前記キャリア中に配置されたとき、前記挿入物の回転運動を抑制する、請求項１ないし８のいずれか一項に記載の匂い付き挿入物。
【請求項１０】
前記挿入物が、ディスクの形態にある、請求項１ないし９のいずれか一項に記載の匂い付き挿入物。
【請求項１１】
少なくとも１つの戻り止めが、前記ディスクの周辺部から半径方向に伸びている、請求項１０に記載の匂い付き挿入物。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
幹細胞増殖をインビトロで促進する方法であって：
血小板由来成長因子（ＰＤＧＦ）及び線維芽細胞増殖因子２（ＦＧＦ２）を含むウシ胎仔血清フリーの細胞培養培地中において、間葉系統前駆細胞または間葉系統幹細胞の集団を培養することを含み、ここでのＦＧＦ２のレベルは約１ｎｇ／ｍＬ未満である前記方法。
【請求項２】
間葉系統前駆細胞または間葉系統幹細胞増殖をインビトロで促進するためのウシ胎仔血清フリーの細胞培養培地であって：
基礎培地と；
血小板由来成長因子（ＰＤＧＦ）と；
線維芽細胞増殖因子２（ＦＧＦ２）と；
を含有し、
前記培地中のＦＧＦ２のレベルが約１ｎｇ／ｍＬ未満である前記細胞培養培地。
【請求項３】
前記ＦＧＦ２のレベルが少なくとも約２ｐｇ／ｍＬ〜４０ｐｇ／ｍＬである、請求項１に記載の方法または請求項２に記載の培養培地。
【請求項４】
前記ＦＧＦ２のレベルが約２０ｐｇ／ｍＬである、請求項１に記載の方法または請求項２に記載の培養培地。
【請求項５】
前記ＰＤＧＦがＰＤＧＦ−ＢＢである、請求項１〜４の何れか１項に記載の方法または培養培地。
【請求項６】
前記ＰＤＧＦ−ＢＢのレベルが少なくとも約３．０ｎｇ／ｍＬ〜約１２０ｎｇ／ｍＬである、請求項５に記載の方法または培養培地。
【請求項７】
前記ＰＤＧＦ−ＢＢのレベルが、約９．０ｎｇ／ｍＬ〜約６０ｎｇ／ｍＬである、請求項５に記載の方法または培養培地。
【請求項８】
前記ＰＤＧＦ−ＢＢのレベルが少なくとも約３０ｎｇ／ｍＬである、請求項５に記載の方法または培養培地。
【請求項９】
前記細胞培養培地が更に上皮成長因子（ＥＧＦ）を含む、請求項１〜８の何れか１項に記載の方法または培養培地。
【請求項１０】
前記ＥＧＦのレベルが、約０．０８ｎｇ／ｍＬ〜約７ｎｇ／ｍＬである、請求項９に記載の方法または培養培地。
【請求項１１】
前記ＥＧＦのレベルが、約０．４ｎｇ／ｍＬ〜約１．６ｎｇ／ｍＬである、請求項９に記載の方法または培養培地。
【請求項１２】
前記ＥＧＦのレベルが、少なくとも約０．８ｎｇ／ｍＬである、請求項９に記載の方法または培養培地。
【請求項１３】
前記細胞培養培地が、アルファ最小必須培地またはウシ胎仔血清フリーの増殖培地を含有する、請求項１〜１２の何れか１項に記載の方法または培養培地。
【請求項１４】
前記細胞培養培地が前記間葉系統前駆細胞または間葉系統幹細胞を未分化状態に維持する、請求項１〜１３の何れか１項に記載の方法または培養培地。
【請求項１５】
前記幹細胞が間葉系幹細胞である、請求項１〜１４の何れか１項に記載の方法または培養培地。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
ワイヤレスデバイスにおける通信の方法であって、
第１のワイヤレス通信ネットワーク上でのワイヤレス通信のための狭帯域トーンの第１のセットを識別することと、
狭帯域トーンの前記第１のセットのうちのトーンの第２のグループよりも高い電力の送信をサポートするトーンの第１のグループを狭帯域トーンの前記第１のセットから識別することと、トーンの前記第１のグループの前記識別が、トーンの前記第１のグループが第２のワイヤレス通信ネットワーク上でのワイヤレス通信のための広帯域トーンのセットに対して干渉を引き起こす程度を示す干渉レベルに少なくとも部分的に基づく、
を備え、
ここにおいて、狭帯域トーンの前記第１のセットが、前記第１のワイヤレス通信ネットワークの第１の利用可能なアップリンク／ダウンリンク帯域幅中の隣接するトーンの間に第１の周波数間隔を有する第１の複数のトーンを備え、広帯域トーンの前記セットが、前記第２のワイヤレス通信ネットワークの第２の利用可能なアップリンク／ダウンリンク帯域幅中の隣接するトーンの間に第２の周波数間隔を有する第２の複数のトーンを備え、
ここにおいて、前記第２の周波数間隔が前記第１の周波数間隔の整数倍であり、
ここにおいて、前記第１のワイヤレス通信ネットワークの周波数キャリアと前記第２のワイヤレス通信ネットワークの周波数キャリアとの間の間隔が、前記第１の周波数間隔の前記整数倍である、方法。
【請求項２】
トーンの前記第１のグループが、狭帯域トーンの前記第１のセットのうちのトーンの前記第２のグループと比較して広帯域トーンの前記セットのトーンに対してより少ない干渉を引き起こすトーンを備える、請求項１に記載の方法。
【請求項３】
ユーザ機器（ＵＥ）がトーンの前記第１のグループ上での送信を必要とするチャネル状態を有すると決定することと、
トーンの前記第１のグループが前記第１のワイヤレス通信ネットワーク上での前記ＵＥのアップリンク送信において使用するために割り振られることを示すリソース割振りを前記ＵＥに送信することと
をさらに備える、請求項１に記載の方法。
【請求項４】
トーンの前記第１のグループのうちの１つまたは複数のトーン上でより高い電力の送信を使用して１つまたは複数のダウンリンク送信を第１のＵＥに送信することと、
トーンの前記第２のグループのうちの１つまたは複数のトーン上でより低い電力の送信を使用して１つまたは複数のダウンリンク送信を第２のＵＥに送信することと
をさらに備える、請求項１に記載の方法。
【請求項５】
前記第１のＵＥが、信頼できる通信のためにより高い電力の送信が必要とされることを示すチャネル状態を有すると決定すること
をさらに備える、請求項４に記載の方法。
【請求項６】
前記決定することが、前記第１のＵＥへの前記通信または前記第１のＵＥからの前記通信のためのレイテンシターゲットと前記第１のＵＥに関連する経路損失とに少なくとも部分的に基づき、前記レイテンシターゲットは、前記第１のＵＥへの前記通信または前記第１のＵＥからの前記通信に関連する優先度から決定され、前記経路損失は、前記第１のＵＥが基地局にチャネル品質情報を送信することに少なくとも部分的に基づいて決定される、請求項５に記載の方法。
【請求項７】
前記１つまたは複数のダウンリンク送信を前記第１のＵＥに送信することが、トーンの前記第１のグループのトーンの間の周波数ホッピングを使用することを備える、請求項４に記載の方法。
【請求項８】
トーンの前記第２のグループの２つまたはそれ以上のサブセットを識別するためにトーンの前記第２のグループ内のフラクショナル周波数再利用を採用することと、
それぞれトーンの前記第１のグループのための送信電力よりも低い異なる電力を使用して、前記２つまたはそれ以上のサブセット上でダウンリンク通信を送信することと
をさらに備える、請求項１に記載の方法。
【請求項９】
トーンの前記第１のグループを狭帯域トーンの前記第１のセットから前記識別することが、
トーンの前記第１のグループがアップリンク送信のために使用されるべきであることを示すリソース割振りを基地局から受信すること
を備える、請求項１に記載の方法。
【請求項１０】
トーンの前記第１のグループのうちの１つまたは複数のトーン上で１つまたは複数のアップリンク送信を前記基地局に送信すること
をさらに備える、請求項９に記載の方法。
【請求項１１】
前記１つまたは複数のアップリンク送信を前記基地局に送信することが、トーンの前記第１のグループのトーンの間の周波数ホッピングを使用して送信することを備える、
をさらに備える、請求項１０に記載の方法。
【請求項１２】
トーンの前記第２のグループがアップリンク送信のために使用されるべきであることを示すリソース割振りを基地局から受信することと、
トーンの前記第２のグループの２つまたはそれ以上のサブセットを識別するためにトーンの前記第２のグループ内のフラクショナル周波数再利用を採用することと、
それぞれトーンの前記第１のグループのための送信電力よりも低い異なる電力を使用して前記２つまたはそれ以上のサブセット上でアップリンク通信を送信することと
をさらに備える、請求項１に記載の方法。
【請求項１３】
狭帯域トーンの前記第１のセットが直交周波数分割多元接続（ＯＦＤＭＡ）トーンを備え、広帯域トーンの前記セットがＯＦＤＭＡトーンを備える、請求項１に記載の方法。
【請求項１４】
ワイヤレスデバイスにおける通信のための装置であって、
請求項１ないし１３のいずれか一項に記載のステップを行うように構成された手段 を備える装置。
【請求項１５】
ワイヤレスデバイスにおける通信のためのコードを記憶する非一時的なコンピュータ可読媒体であって、前記コードは、請求項１ないし１３のいずれか一項に記載のこれらステップを行うように構成された、プロセッサ上で実行可能な命令を備える、非一時的なコンピュータ可読媒体。
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
工業用水システム内で利用される工業用水のパラメータの測定において精度を維持する方法であって、
（ａ）ある工業用水ストリーム圧の工業用水ストリームを、ｐＨセンサの濡れ表面及び酸化還元電位センサの濡れ表面のうちの少なくとも１つに接触させることと、
（ｂ）前記工業用水ストリームのｐＨ及び／または酸化還元電位を測定することと、
（ｃ）前記濡れ表面のうちの少なくとも１つを、尿素塩酸塩を含む洗浄液に、前記濡れ表面のうちの前記少なくとも１つを洗浄するのに十分な第１の期間にわたって、かつ十分な濃度で、接触させることと、
（ｄ）前記工業用水ストリーム圧の前記工業用水ストリームを、前記濡れ表面のうちの前記洗浄された前記少なくとも１つに、第２の期間にわたって再接触させ、それにより、洗浄されたｐＨセンサ及び／または酸化還元電位センサを使用して前記工業用水ストリームのｐＨ及び／または酸化還元電位を測定することと、
（ｅ）前記洗浄されたｐＨセンサ及び／または酸化還元電位センサを使用して前記測定されたｐＨ及び／または前記測定された酸化還元電位に関する回復曲線を作成することと、
（ｆ）ステップ（ａ）から（ｅ）を繰り返すことと、
（ｇ）ステップ（ｅ）により作成された前記それぞれの回復曲線を比較することと、
（ｈ）前記それぞれの回復曲線の前記比較が許容可能なセンサ劣化を実証する場合、前記ｐＨセンサ及び／または酸化還元電位センサにより前記工業用水ストリームのｐＨ及び／または酸化還元電位を引き続き測定することと、
（ｉ）前記回復曲線の前記比較が、許容不能なセンサ劣化を実証する場合、前記許容不能なセンサ劣化を示す前記ｐＨセンサ及び／または前記酸化還元電位センサを供用から外すことと、を含む方法。
【請求項２】
許容不能なセンサ劣化が、前記工業用水ストリームの前記再接触後の同等の時点において測定されたｐＨ及び／または酸化還元電位における少なくとも約５％の逸脱により判定される、請求項１に記載の方法。
【請求項３】
前記工業用水ストリームの前記再接触後の前記同等の時点が、前記工業用水ストリームの前記再接触後約１分〜約１２０分の時点である、請求項２に記載の方法。
【請求項４】
前記工業用水ストリームの前記再接触後の前記同等の時点が、前記工業用水ストリームの前記再接触後約１０分〜約６０分の時点である、請求項２に記載の方法。
【請求項５】
許容不能なセンサ劣化が、前記工業用水ストリームの前記再接触後の同等の時点において測定されたｐＨ及び／または酸化還元電位における少なくとも約１０％の逸脱により判定される、請求項１に記載の方法。
【請求項６】
前記工業用水システムが、冷却水システム、加熱水システム、製紙システム、精製システム、薬液処理システム、原油抽出システム、及び天然ガス抽出システムから選択される、請求項１に記載の方法。
【請求項７】
前記工業用水システムが冷却水システムである、請求項１に記載の方法。
【請求項８】
ステップ（ａ）において、前記工業用水ストリーム内へ前記工業用水ストリーム圧より約１０ｐｓｉ〜約１００ｐｓｉ高いガスストリーム圧でガスストリームを導入し、それにより混合ガス工業用水ストリームを、前記ｐＨセンサの前記濡れ表面及び前記酸化還元電位センサの前記濡れ表面のうちの少なくとも１つに接触させることを含む、請求項１に記載の方法。
【請求項９】
前記ガスストリームが、前記工業用水ストリーム内へ前記工業用水ストリーム圧より２０〜５０ｐｓｉ高いガスストリーム圧で導入される、請求項８に記載の方法。
【請求項１０】
前記ガスストリームが、液体ストリームから垂直な方向に導入される、請求項８または９に記載の方法。
【手続補正２】
【補正対象書類名】明細書
【補正対象項目名】発明の名称
【補正方法】変更
【補正の内容】
【発明の名称】センサ精度を維持するための方法
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
雑音抑制のためのパネル（１０、３０、４０）であって、
互いに平行に延びる多数の剛性要素（１２、３２、４２）、を含み、隣接する剛性要素間に間隙があるパネルであって、
各間隙内には、音響波を減衰する渦室（１５）が定められおり、
前記剛性要素（１２、３２、４２）は湾曲縁部分（１４）を有し、
隣接要素の前記縁部分（１４）は互いに重なり、
隣接する要素の前記重なった縁部分（１４）は、その間に前記渦室（１５）を定め、かつ、前記渦室（１５）の周囲で該渦室（１５）と連通して前記渦室に対してタンジェンシャルな構成要素と位置合わせする第１のチャネル（１６ａ）及び第２のチャネル（１６ｂ）も定め、前記渦室（１５）は、前記チャネル（１６ａ、１６ｂ）よりも大きな幅を有し、これにより、流体が前記第１のチャネル（１６ａ）を通って又は前記第２のチャネル（１６ｂ）を通って流入する場合に、前記流体は、前記渦室（１５）に対する回転方向を有して前記渦室に入り、前記回転方向は、前記第１のチャネル及び前記第２のチャネルに対して同じであり、これにより、流入する前記液体は前記渦室（１５）において渦（１８）を形成する傾向がある、
ことを特徴とするパネル。
【請求項２】
前記渦室の幅が、前記第１のチャネル（１６ａ）の幅の少なくとも２倍かつ前記第２のチャネル（１６ｂ）の幅の少なくとも２倍であることを特徴とする請求項１に記載のパネル。
【請求項３】
前記剛性要素（１２）を相互接続し、かつ前記間隙の望ましい幅を有して前記剛性要素（１２）を互いに保持するための連結要素をさらに含むことを特徴とする請求項１又は２に記載のパネル。
【請求項４】
前記パネルにおける連続する剛性要素（１２）は、前記第１のチャネル（１６ａ）及び第２のチャネル（１６ｂ）内のインサート、突起又は隆起部（２０）により維持されている、請求項１〜３の何れかに記載のパネル。
【請求項５】
各剛性要素（３２、４２）が、前記縁部分（１４）間の異なる中間位置で少なくとも１対の突出湾曲リブ（３４、３７）も定め、前記対は、より短い湾曲リブ（３４）及びより長い湾曲リブ（３７）から構成され、前記対は、隣接要素（３２、４２）の該縁部分（１４）が互いに重なる時に１つの要素のより短い湾曲リブ（３４）が前記隣接要素の前記より長い湾曲リブ（３７）内に延びてそれらの間に２次渦室（３５）を定めるように配置される、請求項１に記載のパネル。
【請求項６】
前記剛性要素（３２、４２）は、隣接要素の前記縁部分（１４）が互いに重なるように配置された時に、前記２次渦室（３５）の周囲で前記２次渦室（３５）と連通して前記２次渦室（３５）に対してタンジェンシャルな構成要素と位置合わせする第１の２次チャネル（３６ａ）及び第２の２次チャネル（３６ｂ）も定め、これにより、流体が該第１の２次チャネル（３６ａ）を通って又は前記第２の２次チャネル（３６ｂ）を通って流入する場合に、前記流体は、前記２次渦室（３５）に対する回転方向を有して前記２次渦室（３５）に入り、前記回転方向は、前記第１の２次チャネル（３６ａ）及び前記第２の２次チャネル（３６ｂ）に対して同じであり、
前記第１の２次チャネル（３６ａ）は、前記第１のチャネル（１６ａ）又は前記第２のチャネル（１６ｂ）のいずれかと前記２次渦室（３５）から遠隔の位置で連通する、
ことを特徴とする請求項５に記載のパネル。
【請求項７】
前記湾曲縁部分（１４）によって定められた前記渦室（１５）及び前記突出湾曲リブ（３４，３７）の対によって定められた前記２次渦室（３５）は、異なる半径方向寸法のものであることを特徴とする請求項５又は請求項６に記載のパネル。
【請求項８】
前記２次渦室（３５）の幅が、前記第１の２次のチャネル（３６ａ）の幅の少なくとも２倍かつ前記第２の２次チャネル（３６ｂ）の幅の少なくとも２倍であることを特徴とする請求項６又は請求項７に記載のパネル。
【請求項９】
互いに平行に長手方向に延びる剛性要素（１２）の複数のセットを含み、間隙が、隣接する剛性要素（１２）間の各セットにあり、かつ渦室（１５）が、各間隙内に定められ、
前記剛性要素（１２）のセットは、前記長手方向に連続して配置され、パネル（６０）が、剛性要素（１２）の各連続するセット間に板（７２）も含み、これにより、各板（７２）が、剛性要素（１２）の隣接するセットによって定められた前記渦室（１５）に対して端部を定める、
ことを特徴とする請求項１〜８のいずれか１項に記載のパネル。
【請求項１０】
連続するセット内の前記剛性要素（１２）は、互いに位置合わせしていることを特徴とする請求項９に記載のパネル。
【請求項１１】
各剛性要素（１２）の軸方向長さは３０ｍｍ未満である、請求項９又は１０に記載のパネル。
【請求項１２】
請求項５〜８のいずれか１項に記載のパネル（３０、４０）に使用するための剛性要素（３２、４２）であって、
前記剛性要素（３２、４２）は湾曲した縁部分（１４）を備え、別のそのような剛性要素（３２、４２）に隣接して置かれた時に渦室を定め、前記縁部分（１４）間の異なる中間位置で少なくとも１対の突出湾曲リブ（３４、３７）も定め、前記対は、より短い湾曲リブ（３４）及びより長い湾曲リブ（３７）から構成され、前記対は、隣接要素（３２、４２）の該縁部分（１４）が互いに重なる時に１つの要素のより短い湾曲リブ（３４）が前記隣接要素の前記より長い湾曲リブ（３７）内に延びてそれらの間に２次渦室（３５）を定めるように配置される、剛性要素。
【請求項１３】
ラウドスピーカハウジング（５０、７０）であって、
ハウジング（５０、７０）の少なくとも１つの壁が、請求項１〜１０のいずれか１項に記載のパネルを含む、ラウドスピーカハウジング。
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
メッセージングサービスの第１アカウント情報が入力された第１端末から送信された第１メッセージを受信し、前記第１端末に第２メッセージを送信する、前記メッセージングサービスの第２アカウント情報が入力された端末の情報処理方法であって、
前記第１メッセージと、前記第２メッセージとが表示された前記第１端末の表示部に表示されるメニューを前記端末の制御部によって設定することと、
前記メッセージングサービスを管理するサーバに前記メニューの情報を前記端末の通信部によって送信することとを含む。
【請求項２】
請求項１に記載の情報処理方法であって、
前記メニューは、複数のコンテンツを含む。
【請求項３】
請求項２に記載の情報処理方法であって、
前記第１端末の表示部に表示される前記複数のコンテンツの配列を前記制御部によって設定することを含む。
【請求項４】
請求項２または請求項３に記載の情報処理方法であって、
前記第１端末の表示部に表示される前記複数のコンテンツ各々の大きさに関する設定を
前記制御部によって行うことを含む。
【請求項５】
請求項３に記載の情報処理方法であって、
前記複数のコンテンツの前記配列は、テンプレートの選択に基づいて設定される。
【請求項６】
請求項４に記載の情報処理方法であって、
前記複数のコンテンツ各々の大きさに関する設定は、テンプレートの選択に基づいて設定される。
【請求項７】
請求項２から請求項６のいずれか一項に記載の情報処理方法であって、
前記複数のコンテンツの少なくとも一つのコンテンツは、リンク情報を含む。
【請求項８】
請求項２から請求項７のいずれか一項に記載の情報処理方法であって、
前記複数のコンテンツの少なくとも一つのコンテンツが、前記第１端末の表示部に表示される画像を前記制御部によって設定することを含む。
【請求項９】
請求項１から請求項８のいずれか一項に記載の情報処理方法であって、
前記メニューが、前記第１端末の表示部に表示される期間を前記制御部によって設定することを含む。
【請求項１０】
請求項１から請求項９のいずれか一項に記載の情報処理方法であって、
前記メニューは、前記第１端末と、メッセージングサービスの第３アカウント情報が入力された第２端末とを少なくとも含む複数の端末の各々の表示部に表示される。
【請求項１１】
請求項１から請求項１０のいずれか一項に記載の端末と、前記第１端末とを含むシステムの情報処理方法であって、
前記メニューの情報に基づくメニューを前記第１端末の表示部に表示することと、
前記第１端末の表示部に表示されたメニューへの入力に基づき、前記メニューに対応する処理を前記第１端末によって実行することとを含む。
【請求項１２】
メッセージングサービスの第１アカウント情報が入力された第１端末から送信された第１メッセージを受信し、前記第１端末に第２メッセージを送信する、前記メッセージングサービスの第２アカウント情報が入力された端末のコンピュータによって実行されるプログラムであって、
前記第１メッセージと、前記第２メッセージとが表示された前記第１端末の表示部に表示されるメニューを前記端末の制御部によって設定することと、
前記メッセージングサービスを管理するサーバに前記メニューの情報を前記端末の通信部によって送信することとを含む。
【請求項１３】
メッセージングサービスの第１アカウント情報が入力された第１端末から送信された第１メッセージを受信し、前記第１端末に第２メッセージを送信する、前記メッセージングサービスの第２アカウント情報が入力された端末であって、
前記第１メッセージと、前記第２メッセージとが表示された前記第１端末の表示部に表示されるメニューを設定する制御部と、
前記メッセージングサービスを管理するサーバに前記メニューの情報を送信する通信部とを備える。
【手続補正２】
【補正対象書類名】明細書
【補正対象項目名】発明の名称
【補正方法】変更
【補正の内容】
【発明の名称】情報処理方法、プログラム及び端末
【手続補正３】
【補正対象書類名】明細書
【補正対象項目名】０００８
【補正方法】変更
【補正の内容】
【０００８】
メッセージングサービスの第１アカウント情報が入力された第１端末から送信された第１メッセージを受信し、第１端末に第２メッセージを送信する、メッセージングサービスの第２アカウント情報が入力された端末の情報処理方法であって、
第１メッセージと、第２メッセージとが表示された第１端末の表示部に表示されるメニューを端末の制御部によって設定することと、
メッセージングサービスを管理するサーバにメニューの情報を端末の通信部によって送信することとを含む、情報処理方法を提供する。
【手続補正４】
【補正対象書類名】明細書
【補正対象項目名】０００９
【補正方法】変更
【補正の内容】
【０００９】
メッセージングサービスの第１アカウント情報が入力された第１端末から送信された第１メッセージを受信し、第１端末に第２メッセージを送信する、メッセージングサービスの第２アカウント情報が入力された端末のコンピュータによって実行されるプログラムであって、
第１メッセージと、第２メッセージとが表示された第１端末の表示部に表示されるメニューを端末の制御部によって設定することと、
メッセージングサービスを管理するサーバにメニューの情報を端末の通信部によって送信することとを含む、プログラムを提供する。
【手続補正５】
【補正対象書類名】明細書
【補正対象項目名】００１０
【補正方法】変更
【補正の内容】
【００１０】
メッセージングサービスの第１アカウント情報が入力された第１端末から送信された第１メッセージを受信し、第１端末に第２メッセージを送信する、メッセージングサービスの第２アカウント情報が入力された端末であって、
第１メッセージと、第２メッセージとが表示された第１端末の表示部に表示されるメニューを設定する制御部と、
メッセージングサービスを管理するサーバにメニューの情報を送信する通信部とを備える、端末を提供する。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
ニューラルネットワークを圧縮するコンピュータ実装の方法であって、
圧縮されたニューラルネットワークを生成するために、前記ニューラルネットワーク中の圧縮されていない層を複数の圧縮された層と交換することと、ここにおいて、前記複数の圧縮された層の各々は、前記圧縮されていない層と同じタイプである、
前記圧縮されたネットワークの圧縮された層の間に非線形性を挿入することと、
前記圧縮された層のうちの少なくとも１つにおける重み値を更新することによって、前記圧縮されたネットワークを微調整することと
を備える、方法。
【請求項２】
非線形性を前記挿入することが、前記圧縮された層のニューロンに非線形活性化関数を適用することを備える、請求項１に記載の方法。
【請求項３】
前記非線形活性化関数が、整流関数、絶対値関数、双曲線正接関数、またはシグモイド関数である、請求項２に記載の方法。
【請求項４】
前記微調整することが、前記圧縮された層のサブセットのうちの少なくとも１つにおける重み値、または圧縮されていない層のサブセットにおける重み値を更新することを備える、請求項１に記載の方法。
【請求項５】
前記微調整することが、トレーニング例を使用して実行され、前記トレーニング例が、圧縮されていないネットワークをトレーニングするために使用される例の第１のセット、または例の新しいセットのうちの少なくとも１つを備える、請求項１に記載の方法。
【請求項６】
より深層のニューラルネットワークを初期化するための方法として、圧縮と、非線形層の挿入と、前記微調整することとを繰り返し適用することによって、前記ニューラルネットワークを初期化すること
をさらに備える、請求項１に記載の方法。
【請求項７】
ニューラルネットワークを圧縮するコンピュータ実装の方法であって、
組み合わせられた、複数の圧縮された層の受容野サイズが、圧縮されていない層の受容野サイズに一致するように、圧縮されたニューラルネットワークを生成するために、前記ニューラルネットワーク中の前記圧縮されていない層を前記圧縮された層と交換することと、ここにおいて、前記複数の圧縮された層の各々は、前記圧縮されていない層と同じタイプである、
前記圧縮された層のうちの少なくとも１つにおける重み値を更新することによって、前記圧縮されたネットワークを微調整することと
を備える、方法。
【請求項８】
前記圧縮されていない層のカーネルサイズが、前記受容野サイズに等しい、請求項７に記載の方法。
【請求項９】
前記交換することは、プロパティ（ｋ1x−１）＋（ｋ2x−１）＋・・・＝（ｋx−１）および（ｋ1y−１）＋（ｋ2y−１）＋・・・＝（ｋy−１）が満たされる前記圧縮されたネットワークを生成するために、カーネルサイズｋx×ｋyを有する前記ニューラルネットワーク中の少なくとも１つの層を、前記カーネルサイズｋ1x×ｋ1y，ｋ2x×ｋ2y．．．ｋLx×ｋLyをもつ同じタイプの複数の圧縮された層と交換することを備える、請求項７に記載の方法。
【請求項１０】
前記カーネルサイズｋx×ｋyをもつ畳み込み層が、それぞれ前記カーネルサイズ１×１、ｋx×ｋy、および１×１をもつ３つの畳み込み層と交換される、請求項９に記載の方法。
【請求項１１】
ニューラルネットワークを圧縮するコンピュータ実装の方法であって、
圧縮されたニューラルネットワークを生成するために、前記ニューラルネットワーク中の圧縮されていない層を複数の圧縮された層と交換することと、ここにおいて、前記複数の圧縮された層の各々は、前記圧縮されていない層と同じタイプである、
１つずつ交互に、それぞれの層の重み行列の重み値に交互最小化プロセスを適用することによって、圧縮された層の前記重み行列を決定することと
を備える、方法。
【請求項１２】
前記圧縮された層のうちの少なくとも１つのための前記重み行列の前記重み値を更新することによって、前記圧縮されたネットワークを微調整することをさらに備える、請求項１１に記載の方法。
【請求項１３】
前記微調整することが、前記圧縮された層のサブセット、または圧縮されていない層のサブセットのうちの少なくとも１つにおける前記重み値を更新すること含む、請求項１２に記載の方法。
【請求項１４】
ニューラルネットワークを圧縮するための装置であって、
圧縮されたニューラルネットワークを生成するために、前記ニューラルネットワーク中の圧縮されていない層を複数の圧縮された層と交換するための手段と、ここにおいて、前記複数の圧縮された層の各々は、前記圧縮されていない層と同じタイプである、
前記圧縮されたネットワークの圧縮された層の間に非線形性を挿入するための手段と、
前記圧縮された層のうちの少なくとも１つにおける重み値を更新することによって、前記圧縮されたネットワークを微調整するための手段と
を備える、装置。
【請求項１５】
ニューラルネットワークを圧縮するためのプログラムコードをその上に符号化した非一時的コンピュータ可読媒体であって、前記プログラムコードが、プロセッサによって実行され、および、請求項１〜請求項１３のうちのいずれか一項に記載の方法を実行するためのプログラムコードを備える、非一時的コンピュータ可読媒体。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
開始ワイヤレス局（ＳＴＡ）における方法であって、
ファインタイミング測定（ＦＴＭ）メッセージの１つまたは複数のバーストを応答ＳＴＡに要求する第１のＦＴＭ要求メッセージを送信することと、前記第１のＦＴＭ要求メッセージが、少なくとも、ＦＴＭメッセージの前記要求された１つまたは複数のバーストのうちの初期バーストに先行する、前記応答ＳＴＡからの初期ＦＴＭメッセージの送信と前記開始ＳＴＡからの第２のＦＴＭ要求メッセージの送信との間の最小時間オフセットを指定する、少なくとも１つのフィールドを備える、
前記第１のＦＴＭ要求メッセージに応答して、前記応答ＳＴＡによって送信された前記初期ＦＴＭメッセージを受信することと
を備える、方法。
【請求項２】
前記初期ＦＴＭメッセージの受信に応答して、前記応答ＳＴＡに肯定応答メッセージを送信することと、
前記肯定応答メッセージの送信に続いて低減電力状態に遷移することと、
少なくとも部分的に、前記最小時間オフセットによって定義される持続時間の終了より前に、前記低減電力状態から全電力状態に遷移することと
をさらに備える、請求項１に記載の方法。
【請求項３】
ＦＴＭメッセージの前記１つまたは複数のバースト中で送信されたＦＴＭメッセージのうちの少なくとも１つの飛行時間を算出することと、
前記算出された飛行時間に少なくとも部分的に基づいて、前記開始ＳＴＡと前記応答ＳＴＡとの間の距離を測定することと
をさらに備える、請求項１に記載の方法。
【請求項４】
前記第１のＦＴＭ要求メッセージ中の１つまたは複数の要求されたパラメータの、前記初期ＦＴＭメッセージ中の１つまたは複数の代替パラメータとの比較に少なくとも部分的に基づいて、前記最小時間オフセットに続いて前記第２のＦＴＭ要求メッセージを送信すること
をさらに備える、請求項１に記載の方法。
【請求項５】
前記第２のＦＴＭ要求メッセージを送信すること、前記第２のＦＴＭ要求メッセージが、前記第１のＦＴＭ要求メッセージ中の１つまたは複数の第１の要求されたパラメータの、前記受信された初期ＦＴＭメッセージ中の１つまたは複数の代替パラメータとの比較に少なくとも部分的に基づいて、前記第１のＦＴＭ要求メッセージを消去するためのトリガフィールドにおける値を備える、
をさらに備える、請求項１に記載の方法。
【請求項６】
１つまたは複数の第２の要求されたパラメータを備える第３のＦＴＭ要求メッセージを前記応答ＳＴＡに送信することをさらに備える、請求項５に記載の方法。
【請求項７】
前記第１のＦＴＭ要求メッセージは、前記少なくとも１つのフィールドが部分タイミング同期機能（ＴＳＦ）タイマー指示の代わりに前記最小時間オフセットを含んでいることを示す、１つまたは複数のビットをさらに備える、請求項１に記載の方法。
【請求項８】
開始ワイヤレス局（ＳＴＡ）であって、
ワイヤレス通信ネットワークからメッセージを受信するための受信機と、
前記ワイヤレス通信ネットワークにメッセージを送信するための送信機と、
請求項１乃至７のいずれかに記載のステップを実行するように構成された１つまたは複数のプロセッサと
を備える、開始ＳＴＡ。
【請求項９】
応答ワイヤレス局（ＳＴＡ）において、
開始ＳＴＡから第１のファインタイミング測定（ＦＴＭ）要求メッセージを受信することと、前記第１のＦＴＭ要求メッセージが、ＦＴＭメッセージの１つまたは複数のバーストを要求し、少なくとも、ＦＴＭメッセージの前記要求された１つまたは複数のバーストのうちの初期バーストに先行する、前記応答ＳＴＡからの初期ＦＴＭメッセージの送信と前記開始ＳＴＡからの後続のＦＴＭ要求メッセージの送信との間の最小時間オフセットを指定する、１つまたは複数のフィールドを備える、
前記第１のＦＴＭ要求メッセージに応答して、前記初期ＦＴＭメッセージを送信することと
を備える方法。
【請求項１０】
前記初期ＦＴＭメッセージの受信に応答して前記開始ＳＴＡによって送信された肯定応答メッセージの受信に応答して、少なくとも部分的に、前記最小時間オフセットによって定義される持続時間の満了に続いて、ＦＴＭメッセージの前記要求された１つまたは複数のバーストを与えるために、少なくとも１つのリソースを割り振ること
をさらに備える、請求項９に記載の方法。
【請求項１１】
前記開始ＳＴＡによって送信された肯定応答メッセージの受信の不在に応答して、設定された回数、前記初期ＦＴＭメッセージを再送信することと、
前記初期ＦＴＭメッセージの再送信の受信に応答して前記開始ＳＴＡによって送信された肯定応答メッセージの受信に応答して、少なくとも部分的に、前記最小時間オフセットによって定義される前記持続時間の満了に続いて、ＦＴＭメッセージの前記要求された１つまたは複数のバーストを与えるために、少なくとも１つのリソースを割り振ることと
をさらに備える、請求項１０に記載の方法。
【請求項１２】
前記第１のＦＴＭ要求メッセージが、ＦＴＭメッセージの前記要求された１つまたは複数のバーストの１つまたは複数の要求された態様を指定するための１つまたは複数の第１のパラメータを備える１つまたは複数のフィールドをさらに備え、前記初期ＦＴＭメッセージが、ＦＴＭメッセージの前記要求された１つまたは複数のバーストのための１つまたは複数の代替態様を指定するための１つまたは複数のフィールドをさらに備える、請求項１０に記載の方法。
【請求項１３】
前記１つまたは複数の要求された態様が、バーストの数、バースト持続時間またはバーストオフセット、あるいはそれらの任意の組合せを備える、請求項１２に記載の方法。
【請求項１４】
応答ワイヤレス局（ＳＴＡ）であって、
ワイヤレス通信ネットワークからメッセージを受信するための受信機と、
前記ワイヤレス通信ネットワークにメッセージを送信するための送信機と、
請求項９乃至１３のいずれかに記載のステップを実行するように構成された１つまたは複数のプロセッサと
を備える、応答ＳＴＡ。
【請求項１５】
請求項１乃至７のいずれかに記載のステップを実行するように開始ワイヤレス局（ＳＴＡ）の１つまたは複数のプロセッサによって実行可能であるか、または、請求項９乃至１３のいずれかに記載のステップを実行するように応答ワイヤレス局（ＳＴＡ）の１つまたは複数のプロセッサによって実行可能である、その上に記憶されたコンピュータ可読命令を備える非一時的記憶媒体。
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
タグを有する少なくとも１つの埋め込みリソースを含むコンテンツリソースについてのクライアントデバイスからの要求をオリジンシステムにより受信する段階と、
前記タグを識別すると、少なくとも１つの配信パラメータを用いて修正埋め込みリソースを、前記オリジンシステムにより、前記オリジンシステムから分離したコンテンツ配信ネットワークから取得する段階と、
前記修正埋め込みリソースを有する前記コンテンツリソースを、前記オリジンシステムにより前記クライアントデバイスに配信する段階であって、前記修正埋め込みリソースは、前記埋め込みリソースと関連付けられたコンテンツを配信できる前記コンテンツ配信ネットワーク内のノードへのダイレクトリンクを含む、段階と、
を備える
コンテンツ配信方法。
【請求項２】
前記タグは一意のタグである、請求項１に記載のコンテンツ配信方法。
【請求項３】
前記要求はｈｔｔｐ接続を介して受信され、前記少なくとも１つの配信パラメータは前記クライアントデバイスのＩＰアドレスを含み、
前記ＩＰアドレスに基づく情報を、前記コンテンツ配信ネットワークのアプリケーションプログラミングインターフェース（ＡＰＩ）に伝達する段階と、
前記ＡＰＩと関連して、前記埋め込みリソースと関連付けられたパラメータを取得する段階と、
前記ＩＰアドレスと前記パラメータとに基づいて、前記埋め込みリソースに関連付けられた前記コンテンツを供給できる、前記コンテンツ配信ネットワーク内にある前記ノードについてのロケーション情報を識別する段階と、
前記ノードへの前記ダイレクトリンクを含むように前記修正埋め込みリソースを生成する段階と、
をさらに備える
請求項１または２に記載のコンテンツ配信方法。
【請求項４】
前記パラメータは人気度パラメータである、請求項３に記載のコンテンツ配信方法。
【請求項５】
前記パラメータは配信プロトコルパラメータである、請求項３に記載のコンテンツ配信方法。
【請求項６】
前記情報は前記ＩＰアドレスである、請求項３から５のいずれか一項に記載のコンテンツ配信方法。
【請求項７】
前記情報は地理情報である、請求項３から５のいずれか一項に記載のコンテンツ配信方法。
【請求項８】
前記ロケーション情報は、ＩＰアドレス、仮想ＩＰアドレス、および１つまたは複数の絶対ユニフォームリソースロケータのうちの少なくとも１つを含む、請求項３から７のいずれか一項に記載のコンテンツ配信方法。
【請求項９】
前記要求はｈｔｔｐ接続を介し、前記少なくとも１つの配信パラメータは前記クライアントデバイスについてのロケーション識別子であり、
前記ロケーション識別子に基づいて、前記埋め込みリソースをサービス供給するコンテンツ配信ノードに関連する前記修正埋め込みリソースを生成すべく、前記ロケーション識別子を、前記オリジンシステムにより、アプリケーションプログラミングインターフェース（ＡＰＩ）に渡す段階をさらに備える、請求項１から８のいずれか一項に記載のコンテンツ配信方法。
【請求項１０】
前記コンテンツリソースはハイパーテキストマークアップ言語（ＨＴＭＬ）ドキュメントであり、前記埋め込みリソースはリンクである、請求項１から９のいずれか一項に記載のコンテンツ配信方法。
【請求項１１】
コンテンツ配信ネットワークであって、
アプリケーションプログラミングインターフェース（ＡＰＩ）を提供し、
前記ＡＰＩにおいて、埋め込みリソース、および前記埋め込みリソースに関連付けられた少なくとも１つのパラメータを、前記コンテンツ配信ネットワークから分離したオリジンシステムから受信し、
前記埋め込みリソースに関連付けられたコンテンツを取得するための前記コンテンツ配信ネットワーク内のノードへのダイレクトリンクを提供する修正埋め込みリソースを生成し、
前記コンテンツ配信ネットワークにより、前記修正埋め込みリソースを前記オリジンシステムに配信し、
前記コンテンツを取得すべく、前記ノードにおいて、クライアントデバイスから要求を受信し、
前記コンテンツを前記クライアントデバイスに提供するための、
コンピュータ可読命令を含む非一時的コンピュータ可読媒体と通信している少なくとも１つのプロセッサ
を備える、コンテンツ配信ネットワーク。
【請求項１２】
前記コンピュータ可読命令はさらに、リソース内で前記埋め込みリソースと、前記修正埋め込みリソースとを置換するためのものである、請求項１１に記載のコンテンツ配信ネットワーク。
【請求項１３】
前記リソースはＨＴＭＬドキュメントであり、前記修正埋め込みリソースはリンクである、請求項１１または１２に記載のコンテンツ配信ネットワーク。
【請求項１４】
前記修正埋め込みリソースは、前記埋め込みリソースに関連付けられた前記コンテンツを取得すべく、前記ノードとの通信を促すためのＩＰアドレスと、前記埋め込みリソースに関連付けられた前記コンテンツを取得すべく、前記ノードとの通信を促すための仮想ＩＰアドレスと、前記埋め込みリソースに関連付けられた前記コンテンツを取得すべく、前記ノードとの通信を促すための１つまたは複数の絶対ユニフォームリソースロケータと、のうちの少なくとも１つを含む、請求項１１から１３のいずれか一項に記載のコンテンツ配信ネットワーク。